(57)【特許請求の範囲】
【請求項１】
ネジ式蓋の内周面に形成されている蓋ネジを脱着自在な止め具において、
前記止め具は、円筒状又は円柱状の止め具本体の軸方向一端に止め材が設けられ、
前記止め具本体の外周面にネジ山が一本形成され、
前記一本のネジ山を前記止め具本体の外周面を一周しない長さにすることにより、ネジ山始端部とネジ山終端部の間にネジ山の無い螺合始端部を設け、その螺合始端部は、内径サイズが多少異なる蓋の蓋ネジでもネジ山のネジピッチが多少異なる蓋ネジでも螺合開始可能な広さである、
ことを特徴とする止め具。
【請求項２】
ネジ式蓋の内周面に形成されている蓋ネジを脱着自在な止め具において、
前記止め具は、円筒状又は円柱状の止め具本体の軸方向一端に止め材が設けられ、
前記止め具本体の外周面にネジ山が一本形成され、
前記一本のネジ山は、前記止め具本体の外周面に、ネジ山始端部とネジ山終端部がオーバーラップして一周形成され、
前記ネジ山始端部とネジ山終端部の間に螺合始端部が設けられ、
前記螺合始端部はネジ山始端部とネジ山終端部のネジ山の高さを両端部間のネジ山の高さよりも低くすることにより、内径サイズが多少異なるネジ式蓋の内周面に形成されている蓋ネジでも、ネジ式蓋の内周面に形成されているネジ山のネジピッチが多少異なる蓋ネジでも螺合可能である、
ことを特徴とする止め具。
【請求項３】
ネジ式蓋の内周面に形成されている蓋ネジを脱着自在な止め具において、
前記止め具は、円筒状又は円柱状の止め具本体の軸方向一端に止め材が設けられ、
前記止め具本体の外周面にネジ山が一本形成され、
前記一本のネジ山は、前記止め具本体の外周面に、ネジ山始端部とネジ山終端部がオーバーラップして一周形成され、
前記ネジ山始端部とネジ山終端部との間に螺合始端部が設けられ、
前記螺合始端部は、ネジ山始端部のネジ山の高さをネジ山終端部のネジ山の高さよりも低くすることにより、内径サイズが多少異なるネジ式蓋の内周面に形成されている蓋ネジでも、ネジ式蓋の内周面に形成されているネジ山のネジピッチが多少異なる蓋ネジでも螺合可能である、
ことを特徴とする止め具。
【発明の詳細な説明】
【技術分野】
【０００１】
本願発明はメモ用紙、写真、カタログ等の各種物品を、黒板、ホワイトボード、掲示板、家具、家電品、ドア、デスク、壁等の止め部に係止することのできる止め具に関し、ペットボトル、缶ボトル、ビンボトルといった各種容器の蓋を脱着可能としたものである。
【背景技術】
【０００２】
環境改善が大きなテーマとして取り上げられている今日、資源の無駄を低減し、有効利用する動きが広がっている。飲料容器としてのペットボトルや缶などは、資源再利用の対象とされているが、ペットボトルや缶といった各種容器の蓋は、ペットボトル本体、缶本体、ビン本体のように再利用されることは少なく、多くが廃棄処分されているのが現状である。
【０００３】
昨今、ペットボトル、缶、ビン等の蓋の有効利用を図る発明が種々提案されており、例えば、マグネットを備えた止め具を前記各種容器の蓋の内周又は外周に取付け、前記マグネットの吸着力でメモ用紙や写真等を金属製の掲示板、冷蔵庫の扉、ドア、デスク等に固定できるようにしたもの（特許文献１）、ペットボトル用のネジを切った合成樹脂製本体にマグネットを埋め込んだもの（特許文献２）、ペットボトルの蓋のねじ部に嵌合固着される係止部を備えた筒状部材に、磁石などの取付け部材が設けられたもの（特許文献３）等がある。
【先行技術文献】
【特許文献】
【０００４】
【特許文献１】実用新案登録第３１４２９０３号公報
【特許文献２】実用新案登録第３０７２７２７号公報
【特許文献３】特開２００４−０９９１７６号公報
【０００５】
前記特許文献１記載のマグネット式止め具は、蓋の内側又は外側に圧入して固定するものであるため、圧入に力が必要であり、蓋に真っ直ぐに装着しづらく、一旦圧入固定すると蓋から取り外にくく、マグネットであるため壁などには差込みができないといった難点があった。
【０００６】
前記特許文献２記載のマグネット式止め具は、ペットボトルの蓋の内周に形成されたねじ部に合わせたネジが形成されているだけであり、ネジ自体に何ら特徴はないため、ペットボトルの蓋以外の蓋を取り付けることはできないという難点があった。
【０００７】
前記特許文献３記載のマグネット式止め具は、前記特許文献１記載のマグネット式止め具同様、蓋の内側又は外側に圧入して固定するものであるため、圧入に力が必要であり、真っ直ぐに装着しづらく、マグネットが圧入固定式であるため一旦圧入固定すると蓋から取り外しにくく、マグネットであるため差込みができないといった難点があった。
【発明の概要】
【発明が解決しようとする課題】
【０００８】
本願発明の解決課題は、各種容器の使用済みのネジ式蓋を廃棄処分することなく有効利用でき、内径サイズが多少異なる蓋や、ネジ山のネジピッチが多少異なる蓋にも使用可能な止め具を提供することにある。
【課題を解決するための手段】
【０００９】
本願発明の止め具は、ネジ式蓋の内周面に形成されている蓋ネジを脱着自在な止め具において、前記止め具は、円筒状又は円柱状の止め具本体の軸方向一端に止め材が設けられ、前記止め具本体の外周面にネジ山が一本形成され、前記一本のネジ山を前記止め具本体の外周面を一周しない長さにすることにより、ネジ山始端部とネジ山終端部の間にネジ山の無い螺合始端部を設け、その螺合始端部を、内径サイズが多少異なる蓋の蓋ネジでも、ネジ山のネジピッチが多少異なる蓋ネジでも螺合開始可能な広さとしたものである。
【００１０】
本願発明の止め具は、ネジ式蓋の内周面に形成されている蓋ネジを脱着自在な止め具において、前記止め具は、円筒状又は円柱状の止め具本体の軸方向一端に止め材が設けられ、前記止め具本体の外周面にネジ山が一本形成され、前記一本のネジ山は、前記止め具本体の外周面に、ネジ山始端部とネジ山終端部がオーバーラップして一周形成され、前記ネジ山始端部とネジ山終端部の間に螺合始端部が設けられ、前記螺合始端部はネジ山始端部とネジ山終端部のネジ山の高さを両端部間のネジ山の高さよりも低くすることにより、内径サイズが多少異なるネジ式蓋の内周面に形成されている蓋ネジでも、ネジ式蓋の内周面に形成されているネジ山のネジピッチが多少異なる蓋ネジでも螺合可能なものである。
【００１１】
本願発明の止め具は、ネジ式蓋の内周面に形成されている蓋ネジを脱着自在な止め具において、前記止め具は、円筒状又は円柱状の止め具本体の軸方向一端に止め材が設けられ、前記止め具本体の外周面にネジ山が一本形成され、前記一本のネジ山は、前記止め具本体の外周面に、ネジ山始端部とネジ山終端部がオーバーラップして一周形成され、前記ネジ山始端部とネジ山終端部の間に螺合始端部が設けられ、前記螺合始端部は、ネジ山始端部のネジ山の高さをネジ山終端部のネジ山の高さよりも低くすることにより、内径サイズが多少異なるネジ式蓋の内周面に形成されている蓋ネジでも、ネジ式蓋の内周面に形成されているネジ山のネジピッチが多少異なる蓋ネジでも螺合可能なものである。
【００１２】
本願発明の止め具は、止め具本体の底側外周部に指先で摘むことがきる把持部を設けこともできる。把持部は止め具本体の外周面よりも内側に設けて指先で摘み易くすることもできる。
【発明の効果】
【００１３】
本願発明の止め具は次のような効果がある。
（１）止め具本体に止め材を設けたので、止め材をピン、磁石、接着剤等とすることにより、メモや写真等を冷蔵庫、板等に係止することができる。
（２）ペットボトル、缶ボトル、ビンボトルといった容器の使用済みのネジ式蓋を再利用できるため、資源の無駄が低減し、省資源に役立つ。
（３）円筒状又は円柱状の止め具本体の外周面に、螺合始端部を形成したので蓋ネジを螺合し易くなる。
（４）螺合始端部が広くなるか、螺合始端部の山が低いので、蓋ネジの螺旋角度や間隔がネジ山の螺旋角度や螺旋間隔と多少異なっても蓋ネジを螺合することができ、止め具本体に各種サイズの使用済みネジ式蓋を装着することができる。
（５）止め具本体に各種サイズの使用済みネジ式蓋を装着することができるので、形状、デザイン、模様等の異なる蓋を交換して装着することができる。
【図面の簡単な説明】
【００１４】
【図１】本願発明の止め具の一例を示す斜視図。
【図２】本願発明の止め具の一例を示す断面図。
【図３】（ａ）はネジ山が蓋装着部の外周面を一周しない長さの場合一例を示す斜視図、（ｂ）はそのネジ山の構造を示す正面図。
【図４】（ａ）はネジ山が蓋装着部の外周の一周を超えて形成され、ネジ山始端部とネジ山終端部のネジ山の高さが両端部の間のネジ山の高さよりも低い場合の一例を示す斜視図、（ｂ）はそのネジ山の構造を示す正面図。
【図５】（ａ）はネジ山が蓋装着部の外周の一周を超えて形成され、ネジ山始端部をネジ山の他の部分よりも低い場合の一例を示す斜視図、（ｂ）はそのネジ山の構造を示す正面図。
【図６】本願発明の止め具の一例を示すものであって、蓋装着体と止め材固定部を別体とした場合の分解斜視図。
【図７】本願発明の止め具を用いて冷蔵庫にメモ用紙を止める場合の一例を示す斜視図。
【発明を実施するための形態】
【００１５】
本願発明の止め具の実施形態の一例について、図面を参照しながら説明する。図１に示す止め具１は、ペットボトル、缶ボトル、ビンボトル、ガラスボトル等の各種飲料用ボトル、マヨネーズ容器等の食品容器といった各種容器の使用済みのネジ式蓋２を、止め材３を備えた止め具本体４に脱着自在としたものであり、止め材３が磁石の場合である。
【００１６】
前記止め具本体４は有底筒状であり、軸方向一端に取付け部５があり、取付け部５と軸方向反対側に円筒状の蓋装着部７がある。
【００１７】
取付け部５の外面６（図２）には磁石（止め材）３が接着剤で接着されて、外面６の外側に突出している。磁石は外面６と同一面となるように固定したり、外面６より内側に凹ませて取付けたりすることができる。止め材３はメモ用紙、写真といった物品を、冷蔵庫の扉、黒板、ホワイトボード、棚、壁面といった止め部に固定できるものであればどのようなものであってもよく、例えば、画鋲、両面テープ、ネジ、粘着剤等を用いることができる。
【００１８】
蓋装着部７の外周面にはネジ山８が一本形成されている。図３（ａ）、（ｂ）に示すネジ山８は、蓋装着部７の外周面を一周しない長さであり、ネジ山始端部８ａとネジ山終端部８ｂの間にネジ山の無い螺合始端部９が形成されている。このネジ山８はネジ式蓋２の内周面に形成されている蓋ネジ２ａを螺合するためのものである。螺合始端部９にはネジ山８が形成されていないので、螺合始端部９の幅（ネジ山始端部８ａとネジ山終端部８ｂの間隔）Ｗはネジ山８が一周以上形成されている場合のネジ山始端部８ａとネジ山終端部８ｂの間隔よりも広くなる。このため、蓋ネジ２ａの螺旋（傾斜）角度や螺旋（螺子）間隔が、蓋装着部７のネジ山８の傾斜角度と多少異なっても、そのネジ山８に蓋ネジ２ａを螺合することができる。
【００１９】
前記ネジ山８は、図４（ａ）、（ｂ）や図５（ａ）、（ｂ）に示すように、蓋装着部７の外周の一周を超えて形成することもできる。その場合は、図４（ａ）、（ｂ）に示すように、ネジ山始端部８ａとネジ山終端部８ｂのネジ山の高さを両端部の間のネジ山８の高さよりも低くし、そのネジ山８の低い部分（ネジ山始端部８ａとネジ山終端部８ｂ）に螺合始端部９を形成して、その螺合始端部９からネジ式蓋２の内周面に形成されている蓋ネジ２ａを螺合できるようにするのがよい。
【００２０】
前記ネジ山８を蓋装着部７の外周の一周を超えて形成する場合は、図５（ａ）、（ｂ）に示すように、ネジ山始端部８ａのネジ山の高さを、その部分と対向するネジ山終端部８ｂのネジ山８の高さよりも低くして、そのネジ山始端部８ａとネジ山終端部８ｂとの間に螺合始端部９を形成し、その螺合始端部９から前記蓋ネジ２ａを螺合することもできる。
【００２１】
止め具本体４は、ポリプロピレンをはじめとする硬質樹脂製のほか、硬質の再生プラスチック製や他の材質製とすることができる。
【００２２】
止め具本体４の取付け部５の外周部には、止め具本体４を指先で把持し易くするための把持部１１が形成されている。この把持部１１は取付け部５の両外側に、取付け部５の外周よりも内側に一段下げて形成されており、その両側面は平らで平行に形成されている。把持部１１の形状は指先で摘み易い形状であれば他の形状であってもよく、例えば取付け部５の外周面よりも一段下げて形成された三角形、四角形等であってもよく、場合によっては、ネジ式蓋２を被せるのに邪魔にならなければ、取付け部５の外周よりも外側に突出したものであってもよい。
【００２３】
図１〜図５に示す止め具１は、止め具本体４に止め材３が直に固定されているが、図６に示すように、ネジ式蓋２を螺合して装着可能な蓋装着体１２と止め材固定部１３とを別体にし、両者を脱着自在とすることもできる。この場合は、円周状の蓋装着体１２の外周面に、ネジ式蓋２の蓋ネジ２ａに螺合可能なネジ山８を設け、止め材固定部１３に磁石、止めピン等の止め材３を固定することができる。ネジ山８は図１の場合と同様に、蓋装着体１２の外周面を一周しない長さにして、ネジ山８のネジ山始端部８ａとネジ山終端部８ｂの間に螺合始端部９を形成してある。図４（ａ）、（ｂ）に示すように、ネジ山８を蓋装着体１２の外周面の一周を超えて形成し、ネジ山始端部８ａとネジ山終端部８ｂの両端部の間に螺合始端部９を形成したり、図５（ａ）、（ｂ）に示すように、ネジ山始端部８ａのネジ山の高さを、ネジ山終端部８ｂのネジ山の高さよりも低くして、そのネジ山始端部８ａとネジ山終端部８ｂの間に螺合始端部９を形成したりすることもできる。
【００２４】
前記止め材固定部１３は肉厚円盤状であり、その外周面には突条の外面嵌合部１４が形成されている。この外面嵌合部１４は、蓋装着体１２の内周面に形成された溝状の内面嵌合部１５に嵌合可能としてある。内面嵌合部１５及び外面嵌合部１４は図示した形状、構造のものに限らず相互に嵌合可能であれば他の形状とすることもできる。例えば、接着剤で接着固定する構造とか、ネジ嵌合できる構造とすることができる。
【００２５】
（使用例）
止め材３が磁石である図１に示す止め具１を使用して、例えばメモ用紙を冷蔵庫の扉に取付ける（貼る）には、図７に示すように、メモ用紙の上に図１の止め具１を重ねて、磁石を止め部Ｘに吸着させればよい。この場合、止め具１に使用済みのネジ式蓋２であって、所望デザインのものを螺合することができる。
【符号の説明】
【００２６】
１      止め具
２      ネジ式蓋
２ａ    蓋ネジ
３      止め材
４      止め具本体
５      取付け部
６      外面
７      蓋装着部
８      ネジ山
８ａ    ネジ山始端部
８ｂ    ネジ山終端部
９      螺合始端部
１１    把持部
１２    蓋装着体
１３    止め材固定部
１４    外面嵌合部
１５    内面嵌合部
Ｗ      螺合始端部の幅
Ｘ      止め部
【要約】
【課題】  蓋を廃棄処分することなく有効利用することができ、内径サイズが多少異なる蓋であっても止め具本体に装着することができ、止め具本体にデザインの異なる各種蓋を付け替えることができる止め具を提供する。
【解決手段】  止めピン、磁石、粘着剤等の止め材が設けられた止め具本体に、容器の蓋を脱着可能とした止め具であり、止め具本体の円周状の装着部外周面に、容器の蓋の内周面に形成されているネジ（蓋ネジ）を螺合可能な装着用ネジが形成され、装着用ネジのネジ山を、一連であり、かつ、前記装着部の外周面の一周に達しない長さにしたものである。止め具本体の止め材装着部側の外周に、指先で摘むことのできる把持部を設けることもできる。前記止め具本体を樹脂製とすることができ、その樹脂に止め材を固定したものとすることができる。
【選択図】図１【図１】
0005513597.tif 000002
【図２】
0005513597.tif 000003
【図３】
0005513597.tif 000004
【図４】
0005513597.tif 000005
【図５】
0005513597.tif 000006
【図６】
0005513597.tif 000007
【図７】
0005513597.tif 000008